(57)【特許請求の範囲】
【請求項１】
データを記憶する第一の記憶部と、
前記第一の記憶部に記憶されたデータのバックアップ用データを記憶する、テープである第二の記憶部と、
データの保管期間の残りが長いデータから短いデータの順になるように、前記第二の記憶部に対するデータの書き込み順を決定する書込順決定部と、
前記書込順決定部によって決定された前記書き込み順に応じて、前記第一の記憶部に記憶されたデータを前記第二の記憶部に対して書き込むように制御する書込制御部と
を有することを特徴とするストレージ装置。
【請求項２】
前記データの保管期間を示す管理情報を記憶する管理情報記憶部をさらに有し、
前記書込順決定部は、前記管理情報記憶部に記憶された管理情報を用いて、データの保管期間の残りが長いデータから短いデータの順になるように、前記第二の記憶部に対するデータの書き込み順を決定することを特徴とする請求項１に記載のストレージ装置。
【請求項３】
前記管理情報記憶部に記憶された管理情報から保管期間が過ぎているデータを特定し、該保管期間が過ぎているデータを削除する削除部をさらに有することを特徴とする請求項２に記載のストレージ装置。
【請求項４】
データの保管期間の残りが長いデータから短いデータの順になるように、データを記憶する第一の記憶部のバックアップ用データを記憶する、テープである第二の記憶部に対するデータの書き込み順を決定する書込順決定ステップと、
前記書込順決定ステップによって決定された前記書き込み順に応じて、前記第一の記憶部に記憶されたデータを前記第二の記憶部に対して書き込むように制御する書込制御ステップと
を含んだことを特徴とするストレージ装置制御方法。
【請求項５】
データの保管期間の残りが長いデータから短いデータの順になるように、データを記憶する第一の記憶部のバックアップ用データを記憶する、テープである第二の記憶部に対するデータの書き込み順を決定する書込順決定手順と、
前記書込順決定手順によって決定された前記書き込み順に応じて、前記第一の記憶部に記憶されたデータを前記第二の記憶部に対して書き込むように制御する書込制御手順と
をコンピュータに実行させることを特徴とするストレージ装置制御プログラム。
【発明の詳細な説明】
【技術分野】
【０００１】
本発明は、ストレージ装置、ストレージ装置制御方法およびストレージ装置制御プログラムに関する。
【背景技術】
【０００２】
従来、音楽、映画、電子メール、画像、文書データなどのデータの改変がないデジタルコンテンツを長期間に渡って一元的に保存するために、フィックスコンテンツを管理するアーカイブ向けのストレージ装置が用いられている。ストレージ装置は、複数の記憶媒体（例えば、ディスクやテープ）を有しており、種々のデジタルコンテンツ（以下、データと記す）を記憶媒体に書き込む。また、ストレージ装置は、利用者の参照要求に従って、格納したデータを読み出して利用者の端末に転送する。
【０００３】
このようなストレージ装置では、データをテープに書き込む場合には、書き込み日時が古いデータの順にテープへ書き込む。例えば、図９に例示するように、データ１の書込日時が「０８／０３／１５」、データ２の書込日時が「０８／０４／２１」、データ３の書込日時が「０８／０５／２０」、データ４の書込日時が「０８／０６／１１」、データ５の書込日時が「０８／０９／３０」である。
【０００４】
このような場合には、ストレージ装置は、図９に示すように、書込日時が古いデータの順にテープに対してデータを書き込むので、データ１、データ２、データ３、データ４、データ５の順にデータがテープに対して格納される。
【０００５】
また、ストレージ装置では、データの保管期間が過ぎているデータがテープ上に存在する場合には、保管期間の過ぎたデータの管理情報を削除して利用者がテープ上のデータを参照できないようにしている。また、ストレージ装置では、テープ上のデータそのものを削除する場合には、ＮＣＳＣ方式（ＮＣＳＣ−ＴＧ−０２５）や米国国防総省方式（ＤｏＤ５２２０．２２−Ｍ）に従って複数回上書きする方式が知られている。
【先行技術文献】
【特許文献】
【０００６】
【特許文献１】特開２００５−３３２０４３号公報
【特許文献２】特表２００３−５１０７４５号公報
【発明の概要】
【発明が解決しようとする課題】
【０００７】
しかしながら、上述した管理情報を削除して利用者がテープ上のデータを参照できないようにする方式では、データそのものがテープ上に残り、適切にデータを削除できないという課題があった。このため、例えば、個人情報などのデータをテープに保管している場合に、保管期間を過ぎたデータであっても物理的にテープ上にデータが残っていることとなり、適切にデータを削除できないという課題があった。
【０００８】
また、上述したＮＣＳＣ方式（ＮＣＳＣ−ＴＧ−０２５）や米国国防総省方式（ＤｏＤ５２２０．２２−Ｍ）に従って複数回上書きする方式でデータを削除した場合には、テープの特性により、削除されたデータより後ろにあるデータが参照できなくなるという課題があった。
【０００９】
つまり、ストレージ装置では、最後にテープに書き込まれたデータに対してエンドオブファイルが付される。このため、ストレージ装置では、上書きしてデータを削除した場合に、上書きデータにエンドオブファイルが付される。その後、ストレージ装置は、削除されたデータより後ろにあるデータの参照要求を受け付けて、テープにシーケンシャルアクセスしていった場合に、上書きデータのエンドオブファイルを検知する結果、削除されたデータより後ろにあるデータが参照できない。
【００１０】
例えば、図９の例を用いて説明すると、ストレージ装置は、データ２の保管期間が経過してデータを削除する場合に、ＮＣＳＣ方式などを用いてデータ２に新しいデータを上書きするとともに、上書きデータにエンドオブファイルを付与する。その後、ストレージ装置は、データ５の参照要求を受け付けて、テープにシーケンシャルアクセスしていった場合に、データ２のエンドオブファイルを検知してアクセスを終了するので、削除されたデータより後ろにあるデータ５が参照できない。
【００１１】
そこで、この発明は、上述した従来技術の課題を解決するためになされたものであり、保管期間が過ぎたデータを削除した場合であっても、同一テープ上の残りのデータに対して正常にアクセスすることを目的とする。
【課題を解決するための手段】
【００１２】
本願の開示するストレージ装置は、一つの態様において、データを記憶する第一の記憶部と、第一の記憶部に記憶されたデータのバックアップ用データを記憶する第二の記憶部とを有する。ストレージ装置は、データの保管期間の残りが長いデータから短いデータの順になるように、第二の記憶部に対するデータの書き込み順を決定し、決定された書き込み順に応じて、保管期間の残りが長いデータを第一の記憶部から順次読み出す。そして、ストレージ装置は、読み出されたデータを第二の記憶部に対して書き込むように制御する。
【発明の効果】
【００１３】
本願の開示するストレージ装置の一つの態様によれば、保管期間が過ぎたデータを削除した場合であっても、同一テープ上の残りのデータに対して正常にアクセスすることができるという効果を奏する。
【図面の簡単な説明】
【００１４】
【図１】図１は、実施例１に係るストレージ装置の構成を示すブロック図である。
【図２】図２は、実施例２に係るストレージ装置を含むシステムを示す図である。
【図３】図３は、実施例２に係るストレージ装置の構成を示すブロック図である。
【図４】図４は、管理情報の一例を説明する図である。
【図５】図５は、テープ上のデータ配置を説明する図である。
【図６】図６は、実施例２に係るストレージ装置の書き込み処理の手順を説明するフローチャートである。
【図７】図７は、実施例２に係るストレージ装置の削除処理の手順を説明するフローチャートである。
【図８】図８は、ストレージ装置制御プログラムを実行するコンピュータを示す図である。
【図９】図９は、従来のテープ上のデータ配置を説明する図である。
【発明を実施するための形態】
【００１５】
以下に添付図面を参照して、この発明に係るストレージ装置、ストレージ装置制御方法およびストレージ装置制御プログラムの実施例を詳細に説明する。
【実施例１】
【００１６】
まず最初に、図１を用いて、実施例１におけるストレージ装置の構成を説明する。図１は、実施例１におけるストレージ装置の構成を説明するための図である。図１に示すように、実施例１におけるストレージ装置１は、第一の記憶部２と、第二の記憶部３と、書込順決定部４と、書込制御部５とを有する。
【００１７】
第一の記憶部２は、データを記憶する。第二の記憶部３は、第一の記憶部２に記憶されたデータのバックアップ用データを記憶する。なお、記憶されているデータは、ユーザの設定等によってデータを保管する期限である保管期間が決められている。
【００１８】
書込順決定部４は、データの保管期間の残りが長いデータから短いデータの順になるように、第二の記憶部３に対するデータの書き込み順を決定する。書込制御部５は、書込順決定部４によって決定された書き込み順に応じて、第一の記憶部２に記憶されたデータを第二の記憶部３に対して書き込むように制御する。
【００１９】
このように、ストレージ装置１は、保管期限の残りが長いデータから順に第二の記憶部３へデータを書き込むので、保管期限が切れるデータがテープの後方にある結果、テープの後ろからデータを削除することができる。このため、ストレージ装置１は、保管期間が過ぎたデータを削除した場合であっても保管期間を過ぎていないデータには影響がなく、第二の記憶部３上の残りのデータに対して正常にアクセスすることが可能である。
【００２０】
上記したように、実施例１によれば、ストレージ装置１は、データの保管期間の残りが長いデータから短いデータの順になるように、第二の記憶部３に対するデータの書き込み順を決定し、決定された書き込み順に応じて、保管期間の残りが長いデータを第一の記憶部２から順次読み出す。そして、ストレージ装置は、読み出されたデータを第二の記憶部３に対して書き込むように制御する。このため、保管期間が過ぎたデータを削除した場合であっても同一テープ媒体上の残りのデータに対して正常にアクセスすることが可能である。
【実施例２】
【００２１】
実施例２では、実施例２に係るストレージ装置の構成および処理の流れを順に説明し、最後に実施例２による効果を説明する。
【００２２】
［ストレージ装置の構成］
次に、図２を用いて、ストレージ装置１００を含むシステムの構成を説明する。図２は、実施例２に係るストレージ装置を含むシステムを示す図である。図２に示すように、ストレージ装置１００を含むシステムでは、ストレージ装置１００と業務サーバ２００とを有し、ストレージ装置１００および業務サーバ２００がＬＡＮを介して接続されている。
【００２３】
ストレージ装置１００は、ＬＡＮを介して接続された業務サーバ２００から受信したデータを記憶する。また、業務サーバ２００は、ストレージ装置１００に対して、種々のデジタルコンテンツの格納要求を実行する。
【００２４】
ストレージ装置１００は、コンテンツ管理プロセッサ１０、ストレージ２０およびテープライブラリ３０を有する。コンテンツ管理プロセッサ１０は、デジタルコンテンツ（以下、データと記す）の管理を行なう。なお、コンテンツ管理プロセッサ１０の詳しい説明については、後に図３を用いて詳述する。
【００２５】
また、ストレージ２０は、複数の磁気ディスクやＳＳＤを有し、格納要求データを記憶するための主記憶媒体として用いられる。テープライブラリ３０は、複数の磁気テープを有し、ストレージ２０に記憶されたデータのバックアップ用記憶媒体として用いられる。
【００２６】
次に、図３を用いて、ストレージ装置１００におけるコンテンツ管理プロセッサ１０の構成を説明する。図３は、実施例２に係るストレージ装置の構成を示すブロック図である。図３に示すように、コンテンツ管理プロセッサ１０は、ディスク制御Ｉ／Ｆ１１、テープ制御Ｉ／Ｆ１２、制御部１３、記憶部１４を有し、バスなどを介してストレージ２０およびテープライブラリ３０と接続される。以下にこれらの各部の処理を説明する。
【００２７】
ディスク制御Ｉ／Ｆ１１は、接続されるストレージ２０との間でやり取りする各種情報に関する通信を制御する。具体的には、ディスク制御Ｉ／Ｆ１１は、ストレージ２０に対するコンテンツデータの送受信を行う。テープ制御Ｉ／Ｆ１２は、接続されるテープライブラリ３０との間でやり取りする各種情報に関する通信を制御する。具体的には、テープ制御Ｉ／Ｆ１２は、ストレージ２０に記憶されたデータのバックアップデータの送受信をテープライブラリ３０との間で行う。
【００２８】
記憶部１４は、制御部１３による各種処理に必要なデータおよびプログラムを格納し、管理情報記憶部１４ａを有する。管理情報記憶部１４ａは、ストレージ２０およびテープライブラリ３０に格納されたコンテンツデータの管理情報を記憶する。
【００２９】
具体的には、管理情報記憶部１４ａは、図４に示すように、データを一意に識別する「データＩＤ」と、データを書き込んだ日付を示す「書き込み日付」と、データを保管する期限を示す「保管期間」とを記憶する。また、管理情報記憶部１４ａは、データの格納位置を示す「格納位置」と、データが登録されている状態であるか削除されている状態であるかなどの状態を示す「状態情報」とを記憶する。図４は、管理情報の一例を説明する図である。
【００３０】
制御部１３は、ストレージ装置１００によるアクセス処理を制御し、書込順決定部１３ａ、データ読出部１３ｂ、書込制御部１３ｃ、削除部１３ｄを有する。
【００３１】
書込順決定部１３ａは、データの保管期間の残りが長いデータから短いデータの順になるように、テープライブラリ３０に対するデータの書き込み順を決定する。具体的には、書込順決定部１３ａは、テープに書き込むファイルであるテープ書き込み対象ファイルを選択すると、各ファイルの保管期間の情報を管理情報記憶部１４ａから取得する。そして、書込順決定部１３ａは、保管期間の情報を用いて、データの保管期間の残りが長いデータから短いデータの順になるようにテープ書き込む順を決定し、データ読出部１３ｂに通知する。
【００３２】
データ読出部１３ｂは、保管期間の残りが長いデータをストレージ２０のディスクから順次読み出す。具体的には、データ読出部１３ｂは、書込順決定部１３ａからテープ書き込み順を受信し、受信したテープ書き込み順に従って、保管期間が長いデータをストレージ２０のディスクから読み出して書込制御部１３ｃに通知する。
【００３３】
書込制御部１３ｃは、データ読出部１３ｂによって読み出されたデータをテープライブラリ３０に対して書き込むように制御する。具体的には、書込制御部１３ｃは、全てのデータを書き込むまで読み出された実データおよび管理情報（メタデータ）をテープに書き込む処理を繰り返す。
【００３４】
つまり、書込制御部１３ｃは、保管期間が長いデータから保管期間が短いデータの順にテープライブラリ３０のテープに対してデータを書き込むこととなる。ここで、図５の例を用いて、テープライブラリ３０のテープ上のデータ配置を説明する。図５は、テープ上のデータ配置を説明する図である。例えば、図５に例示するように、テープライブラリ３０のテープに格納されるデータについて、データ５の保管期間が「０８／０９／３０」、データ４の保管期間が「０８／０６／１１」、データ３の保管期間が「０８／０５／２０」、データ２の保管期間が「０８／０４／２１」、データ１の保管期間が「０８／０３／１５」である。
【００３５】
このような場合には、書込制御部１３ｃは、図５に示すように、保管期間が長いデータから保管期間が短いデータの順にテープライブラリ３０のテープに対してデータを書き込むので、データ５、データ４、データ３、データ２、データ１の順にデータをテープライブラリ３０のテープへ格納する。
【００３６】
このように、ストレージ装置１０は、保管期限の残りが長いデータから順にテープライブラリ３０へデータを書き込む結果、保管期限が早く切れるデータがテープの後方にあるので、テープの後ろからデータを削除することができる。このため、保管期間を過ぎていないデータには影響がなく、保管期間が過ぎたデータを削除した場合であっても第二の記憶部３上の残りのデータに対して正常にアクセスすることが可能である。
【００３７】
つまり、ストレージ装置１００は、保管期間が過ぎたデータを上書きして削除した場合であっても、エンドオブファイルが最後尾のデータに付与されるため、同一テープ上の残りのデータに対して正常にアクセスすることが可能である。また、保管期間が短いデータが新たに格納された場合には、テープの末尾に格納することで、テープを有効に使用することができる。
【００３８】
削除部１３ｄは、テープライブラリ３０に格納されたデータを削除する。具体的には、削除部１３ｄは、管理情報記憶部１４ａに記憶された管理情報から保管期間が過ぎているデータを特定するとともに、保管期間が過ぎているデータのテープの位置を特定する。そして、削除部１３ｄは、テープライブラリ３０からテープデータを削除するとともに、管理情報記憶部１４ａから管理情報を削除する。なお、削除部１３ｄは、削除方式として、ＮＣＳＣ方式（ＮＣＳＣ−ＴＧ−０２５）や米国国防総省方式（ＤｏＤ５２２０．２２−Ｍ）に従って複数回上書きを行って、データを削除する。
【００３９】
［ストレージ装置による処理］
次に、図６および図７を用いて、実施例２に係るストレージ装置１００による処理を説明する。図６は、実施例２に係るストレージ装置の書き込み処理の手順を説明するフローチャートである。図７は、実施例２に係るストレージ装置の削除処理の手順を説明するフローチャートである。
【００４０】
図６に示すように、ストレージ装置１００は、テープに書き込むファイルであるテープ書き込み対象ファイルを選択すると（ステップＳ１０１）、各ファイルの保管期間の情報を管理情報記憶部１４ａから取得する（ステップＳ１０２）。そして、ストレージ装置１００は、保管期間に応じてテープ書き込む順を決定する（ステップＳ１０３）。具体的には、保管期間が新しいデータ（つまり、保管期間が長いデータ）から古い順に並べて、テープ書き込む順を決定する。
【００４１】
そして、ストレージ装置１００は、テープ書き込む順に従って、保管期間が長いデータをディスクから読み出し（ステップＳ１０４）、読み出されたデータをテープに書き込む（ステップＳ１０５）。その後、ストレージ装置１００は、全てのデータをテープに書き込んだかを判定し（ステップＳ１０６）、全てのデータを書き込んでいない場合には（ステップＳ１０６否定）、ステップＳ１０４に戻って、テープ書き込む順に従って保管期間が長いデータをディスクから読み出し（ステップＳ１０４）、実データおよび管理情報（メタデータ）をテープに書き込む処理を繰り返す（ステップＳ１０５）。また、ストレージ装置１００は、全てのデータを書き込んだ場合には（ステップＳ１０６肯定）、テープ書き込み処理を終了する。
【００４２】
続いて、図７を用いて、実施例２に係るストレージ装置の削除処理の手順を説明する。図７に示すように、ストレージ装置１００は、管理情報記憶部１４ａに記憶された保管期間に基づいて、保管期間が過ぎているデータが存在するか判定する。この結果、ストレージ装置１００は、保管期間が過ぎているデータが存在すると判定した場合に（ステップＳ２０１肯定）、保管期間が過ぎているデータを削除するために、管理情報から削除するテープデータの位置を特定する（ステップＳ２０２）。そして、ストレージ装置１００は、テープデータを削除し（ステップＳ２０３）、当該データに関する管理情報を削除して（ステップＳ２０４）、テープデータ削除処理を終了する。
【００４３】
[実施例２の効果]
上述してきたように、ストレージ装置１００は、データを記憶するストレージ２０と、ストレージ２０に記憶されたデータのバックアップ用データを記憶するテープライブラリ３０とを有する。そして、ストレージ装置１００は、データの保管期間の残りが長いデータから短いデータの順になるように、テープライブラリ３０に対するデータの書き込み順を決定し、決定された書き込み順に応じて、保管期間の残りが長いデータをストレージ２９から順次読み出す。その後、ストレージ装置１００は、読み出されたデータをテープライブラリ３０に対して書き込むように制御する。このため、ストレージ装置１００は、保管期限の残りが長いデータから順にテープ媒体へデータを書き込む結果、保管期間が過ぎたデータを削除した場合であっても同一テープ媒体上の残りのデータに対して正常にアクセスすることが可能である。
【００４４】
また、実施例２によれば、ストレージ装置１００は、データの保管期間を示す管理情報を記憶する管理情報記憶部１４ａを有する。そして、ストレージ装置１００は、管理情報記憶部１４ａに記憶された管理情報を用いて、データの保管期間の残りが長いデータから短いデータの順になるように、テープライブラリ３０に対するデータの書き込み順を決定することが可能である。このため、ストレージ装置１００は、各データの保管期間を管理し、保管期限の残りが長いデータから順にテープ媒体へデータを書き込むことが可能である。
【００４５】
また、実施例２によれば、ストレージ装置１００は、管理情報記憶部に記憶された管理情報から保管期間が過ぎているデータを特定し、該保管期間が過ぎているデータを削除することが可能である。このため、ストレージ装置１００は、保管期間が過ぎたデータを適切に削除することが可能である。
【実施例３】
【００４６】
さて、これまで実施例１、２について説明したが、上述した実施例以外にも、種々の異なる形態にて実施されてよいものである。そこで、以下では実施例３として本発明に含まれる他の実施例を説明する。
【００４７】
（１）システム構成等
ところで、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、書込順決定部１３ａとデータ読出部１３ｂを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４８】
（２）プログラム
また、上記実施例で説明した各種の処理は、あらかじめ用意されたプログラムをパーソナルコンピュータやワークステーションなどのコンピュータで実行することによって実現することができる。そこで、以下では、図８を用いて、上記実施例と同様の機能を有するストレージ装置制御プログラムを実行するコンピュータの一例を説明する。図８は、ストレージ装置制御プログラムを実行するコンピュータ１０００を示す図である。
【００４９】
図８に示すように、コンピュータ１０００は、各種演算処理を実行するＣＰＵ（Central  Processing  Unit）１０１０と、ユーザからのデータの入力を受け付ける入力装置１０２０と、各種情報を表示するモニタ１０３０と、記録媒体からプログラム等を読み取る媒体読取り装置１０４０と、ネットワークを介して他のコンピュータとの間でデータの授受を行うネットワークインターフェース装置１０５０と、各種情報を一時記憶するＲＡＭ（Random  Access  Memory）１０６０と、ハードディスク装置１０７０とをバス１０８０で接続して構成される。
【００５０】
そして、ハードディスク装置１０７０には、図３に示した制御部１３と同様の機能を有するストレージ装置制御プログラム１０７１が記憶される。また、ハードディスク装置１０７０には、図３に示した記憶部１４に記憶される各種データに対応するストレージ装置制御用データ１０７２が記憶される。なお、ストレージ装置制御用データ１０７２を、適宜分散させ、ネットワークを介して接続された他のコンピュータに記憶させておくこともできる。
【００５１】
そして、ＣＰＵ１０１０がストレージ装置制御プログラム１０７１をハードディスク装置１０７０から読み出してＲＡＭ１０６０に展開することにより、ストレージ装置制御プログラム１０７１は、ストレージ装置制御プロセス１０６１として機能するようになる。そして、ストレージ装置制御プロセス１０６１は、ストレージ装置制御用データ１０７２から読み出した情報等を適宜ＲＡＭ１０６０上の自身に割り当てられた領域に展開し、この展開したデータ等に基づいて各種データ処理を実行する。
【００５２】
なお、上記のストレージ装置制御プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ、ＷＡＮ（Wide  Area  Network）等を介してコンピュータ１０００に接続される他のコンピュータ（またはサーバ）等にこのプログラムを記憶させておき、コンピュータ１０００がこれらからプログラムを読み出して実行するようにしてもよい。
【符号の説明】
【００５３】
１  ストレージ装置
２  第一の記憶部
３  第二の記憶部
４  書込順決定部
５  書込制御部
１０  コンテンツ管理プロセッサ
１１  ディスク制御Ｉ／Ｆ
１２  テープ制御Ｉ／Ｆ
１３  制御部
１３ａ  書込順決定部
１３ｂ  データ読出部
１３ｃ  書込制御部
１３ｄ  削除部
１４  記憶部
１４ａ  管理情報記憶部
２０  ストレージ
３０  テープライブラリ
１００  ストレージ装置
２００  業務サーバ
【図１】
0005477027.tif 000002
【図２】
0005477027.tif 000003
【図３】
0005477027.tif 000004
【図４】
0005477027.tif 000005
【図５】
0005477027.tif 000006
【図６】
0005477027.tif 000007
【図７】
0005477027.tif 000008
【図８】
0005477027.tif 000009
【図９】
0005477027.tif 000010